(57)【特許請求の範囲】
【請求項１】
縦方向及び横方向を有し、前部側及び後部側を有する枠体と、前記前部側の前端に位置する弾性的反撥部材とを含むパター練習具において、
前記枠体は、硬質プラスチック材料から形成され、前記反撥部材が位置する前部側の内部には、金属材料から形成された前記加重部材が固定されており、前記前部側の質量が該枠体の前記後部側のそれよりも大きくなっており、
前記反撥部材は、ゴム弾性を有する弾性材料から断面がほぼ三角形状に形成され、その頂部が前方へ向けられており、
前記反撥部材の前記頂部の高さは、規格のゴルフボールの半径よりも大きく、
前記反撥部材の下側面が下方へ湾曲していることを特徴とする前記練習具。
【請求項２】
前記枠体は、基部と、前記枠体の前端において前記横方向へ、かつ、前記基部から上方へ延びる保持部と、前記枠体の前記後部側において前記基部から上方へ、かつ、前記保持部の前記横方向の中央部から後方へ延びる握持部とを有する請求項１に記載の練習具。
【請求項３】
前記保持部の前記中央部には、競技用のカップと同径である半円形状に凹む目標部が設けられている請求項２に記載の練習具。
【請求項４】
前記握持部の上面には、ゴルフボールを載置するための凹部と、前記凹部から後方へ延びる案内溝部とが設けられている請求項２又は３に記載の練習具。
【請求項５】
前記枠体の底面には、滑り止め手段が設けられている請求項１〜４のいずれかに記載の練習具。
【発明の詳細な説明】
【技術分野】
【０００１】
この発明は、ゴルフのパター練習に使用するものであり、特に、室内外を問わず、パターの反復練習をすることが可能なパター練習具に関する。
【背景技術】
【０００２】
従来、パッティングしたボールの撥ね返りを利用して、パッティングの反復練習をすることのできるパター練習具は公知である。たとえば、下記の特許文献１には、ボールを反撥可能なクッション部材を備えるパネル状のパッティング装置と、一部に平坦部位を有するボールとから構成されたゴルフ練習具が開示されている。また、下記の特許文献２には、複数の枠体を組立ててなるビリヤードテーブル面状の装置を用いて、ボールをその内周壁面に設けられたレールに当てることにより、ボールを撥ね返らせてパッティングの反復練習をすることが可能なゴルフ練習具が開示されている。
【特許文献１】特表２００７−５０３９４７号公報
【特許文献２】登録実用新案第３０４５９７１号公報
【発明の開示】
【発明が解決しようとする課題】
【０００３】
特許文献１に開示の発明では、パッティング装置のクッション部材にボールを当てることによって、その反撥力によりボールを撥ね返らせることができる。しかし、このゴルフ練習具に用いられるボールは、パネル表面上をスライドしながら移動できるようにするために、その一部に平坦部位を有するものであって、転動するものではないので、撥ね返されたボールが元の位置に戻ることはなく、一つのボールで連続してパッティング練習をすることはできない。
【０００４】
また、特許文献２に開示の考案では、ビリヤードテーブル面状の組立装置の内周壁面に設けられ、外面に弾性部材が被覆されたレールにボールを当てることによって、連続したパッティング練習をすることができる。しかし、この組立装置は、容易に組立、分解ができるものであっても、組立装置を組立、配置するための所要のスペースが必要となり、室内等の比較的に狭い場所では、この装置を用いて練習することはできない、という問題があった。
【０００５】
そこで、この発明は、室内等の比較的に狭い場所においても、一つのボールで連続したパッティング練習をすることができ、かつ、持ち運びにも優れたパター練習具を提供することを課題としている。
【課題を解決するための手段】
【０００６】
前記課題を解決するために、この発明が対象とするのは、縦方向及び横方向を有し、前部側及び後部側を有する枠体と、前記前部側の前端に位置する弾性的反撥部材とを含むパター練習具である。
【０００７】
この発明は、前記枠体は、硬質プラスチック材料から形成され、前記反撥部材が位置する前部側の内部には、金属材料から形成された前記加重部材が固定されており、前記前部側の質量が該枠体の前記後部側のそれよりも大きくなっており、前記反撥部材は、ゴム弾性を有する弾性材料から断面がほぼ三角形状に形成され、その頂部が前方へ向けられており、前記反撥部材の前記頂部の高さは、規格のゴルフボールの半径よりも大きく、前記反撥部材の下側面が下方へ湾曲していることを特徴とする。
【０００８】
この発明は、前記特徴ある構成のほかに、以下の好ましい実施の態様を含む。
（１）前記枠体は、基部と、前記枠体の前端において前記横方向へ、かつ、前記基部から上方へ延びる保持部と、前記枠体の前記後部側において前記基部から上方へ、かつ、前記保持部の前記横方向の中央部から後方へ延びる握持部とを有する。
（２）前記保持部の前記中央部には、競技用のカップと同径である半円形状に凹む目標部が設けられている。
（３）前記握持部の上面には、ゴルフボールを載置するための凹部と、前記凹部から後方へ延びる案内溝部とが設けられている。
（４）前記枠体の底面には、滑り止め手段が設けられている。
【発明の効果】
【０００９】
この発明に係わるパター練習具によれば、室内等の比較的に狭い場所であっても、パッティングしたボールを枠体の前面に取り付けられた反撥部材に当て、その反撥力を利用してボールをパッティング位置まで撥ね返らせることにより、連続したパッティング練習をすることができる。また、枠体の前部側に加重部材が固定されていることによって、ボールが反撥部材に当たる際に、その衝撃によりパター練習具が浮き上がったり、位置がずれたりするおそれはない。
【発明を実施するための最良の形態】
【００１０】
この発明を実施するための最良の形態について図示例を参照して説明すると、以下のとおりである。
【００１１】
図１は、パター練習具１０の斜視図、図２は、練習具１０の分解斜視図、図３は、図１のＩＩＩ−ＩＩＩ線断面図である。図１では、便宜上、ゴルフボール３０を破線で示している。
【００１２】
練習具１０は、前後方向Ｘ１，Ｘ２及び横方向Ｙを有し、硬質プラスチック材料から形成された枠体１１と、弾性部材から形成された枠体１１の前方Ｘ１へ突出する反撥部材１３と、枠体１１の前部側に固定された加重部材１２とを含む。
【００１３】
枠体１１は、基部１４と、枠体１１の前端において横方向Ｙへ、かつ、基部１４から上方へ延びる保持部１５と、枠体１１の後側において基部１４から上方へ、かつ、保持部１５の横方向Ｙ中央部から後方Ｘ２へ延びる握持部１６とを有する。保持部１５は、その前側に位置して横方向Ｙへ延びる開口２０を有する。保持部１５及び握持部１６の内部は中空であり、保持部１５の内部には、横方向Ｙへ離間対向する１対のリブ２５が形成されている（図２参照）。
【００１４】
基部１４は、上面部１４ａと下面部１４ｂと、左右側及び後側に渡って下方へ延びる周面部１４ｃとを有する。上面部１４ａにおける握持部１６の両側には、一対の凹溝部１８が形成されている。保持部１５には、パッティングの際に目標となる、競技用のカップと同径である半円形状に凹む目標部１９が形成されている。握持部１６の上面１６ａには、練習具１０の未使用時にボール３０を載置しておくための凹部２１と、使用するときに、凹部２１からボール３０を床面に下ろすための案内溝部２２が形成されている。
【００１５】
加重部材１２は、鉄や鉛等の金属材料から作られており、枠体１１の基部１４の下部において後方向Ｘ２へ延びる底部２３と、底部２３の前端から上方へ延びる壁部２４とを有し、断面がほぼＬ字状を有している。壁部２４の前面２４ａには、反撥部材１３が接着剤（図示せず）を介して取り付けられており、反撥部材１３は、保持部１５の開口２０から前方へ突出している。反撥部材１３の下方には、前方へ延びる受止部２７と固定部２８とを有し、断面コ字状をなす支持部材２６が溶接又は接着によって壁部２４に固着されている。
【００１６】
反撥部材１３は、ゴムやウレタンフォーム等の反撥性のある弾性材料で作られており、断面がほぼ三角形状を有している。具体的には、所期の効果を発揮するためには、比重が１．０以下で、硬度が４０〜５０度の弾性部材から形成されたものが好ましい。反撥部材１３は、断面が三角形状を有し、上側面１３Ａが、平滑に斜め上方へ延びており、下側面１３Ｂが、下方へ僅かに凸状に湾曲している。反撥部材１３は、所期のこの発明の効果を奏する限りにおいては、断面が三角形状ではなく、少なくとも下側面１３Ｂが外方へ湾曲した、断面円形状、断面楕円形状のものであってもよい。また、反撥部材１３は、保持部１５の開口２０の全域に延びているが、目標部１９の下方に位置する壁部２４の前面２４ａにのみ取り付けられていてもよい。この場合には、パッティングされたボール３０が、反撥部材１３が取り付けられていない部位、すなわち、壁部２４に直接当たるときに、衝突音が生じるので、ボール３０が目標部１９（カップ）から外れたことを確認することができる。
【００１７】
図３に示されているとおり、練習具１０の組立状態において、加重部材１２の壁部２４は、曲面状の上端部３１側から枠体１２の保持部１５内部へ挿入されており、挿入された上端部３１は、傾斜した保持部１５の内周壁１７と、上方へ向かうにつれて幅狭に形成されたリブ２５とに当接しており、壁部２４は、保持部１５内部で安定的に固定されている。さらに、加重部材１２を枠体１１の内部に固定するために、複数のビス３６が、加重部材１２の底部２３の後側において横方向Ｙへ所与寸法離間して設けられた挿通孔３７に挿通され、基部１４の下面部１４ｂに形成されたビス孔（図示せず）に締め付けられている。基部１４の両側に位置するビス孔は、基部１４の上側面１４ａからさらに上方へ延びており、突起４０を形成している（図２参照）。
【００１８】
壁部２４の上端部３１が保持部１５の内周壁１７とリブ２５とに当接されているので、壁部２４は、保持部１５の前端１１ａよりも後方Ｘ２に位置している。これにより、保持部１５の前端面１１ａの下端部３９は、弾性部材１３の上側面１３Ａと当接し、反撥部材１３は、上側面１３Ａと当接する下端部３９と、下側面１３Ｂと当接する支持部材２６の受止部２７とによって、挟持されている。このように、反撥部材１３は、保持部１５の前端面１１ａから前方Ｘ１へ突出した状態で安定的に保持、固定されているので、使用中に、壁部２４に接着されている背側面１３Ｃの一部が壁部２４から剥がれたとしても、枠体１１から妄りに脱落するおそれはない。また、枠体１１が開口２０を有するものではなく、前端面１１ａが枠体１１の前面全体を形成し、反撥部材１３が前端面１１ａに取り付けられていてもよい。
【００１９】
再び、図２を参照すれば、枠体１１の底面２９には、滑り止め手段４１が設けられている。具体的には、加重部材１２が枠体１１の内部に固定された後に、加重部材１２の底部２３の下面と枠体１１の基部１４の下面部１４ｂとに、軟質プラスチック材料から摩擦係数が高くなるように形成された滑り止めシート４１が貼着されている。シート４１を貼る枠体１１の底面２９は、支持部材２６の固定部２８と、加重部材１２の底部２３と凹溝部１８の底面と、基部１４の上面部１４ａから下方へ延びた延出部４４の底面とによって、同平面に形成されている。枠体１１の底面２９にシート４１が貼着されていることによって、練習具１０を床面がフローリングやタイル等からなる室内で使用した場合であっても、反撥部材１３に打球が当たる際に、その衝撃で妄りに練習具１０の位置がずれることはない。また、枠体１１の基部１４の周面部１４ｃに、枠体１１の底面２９全体を覆う底部カバー（図示せず）を取り付けて、底部カバーにシート４１を貼着してもよい。このように底部カバーを取付けることによって、練習具１０内部へのゴミや粉塵の侵入を防止することができる。
【００２０】
図４（ａ）〜（ｃ）は、パッティングされたボール３０が反撥部材１３の中央部に当たり、反撥部材１３がボール３０を撥ね返すまでの過程を示す練習具１０の断面図である。
【００２１】
図４（ａ）は、パッティングされたボール３０が反撥部材１３の頂部４８に当たった瞬間の図であり、頂部４８は、ボール３０の中心よりも上側でボールの表面に当接している。このように、練習具１０へ向かう方向Ｄ１へ転動するボール３０を反撥部材１３の反撥力を利用して、パッティングした位置まで戻すためには、ボール３０の頂部４８との当接位置がその中心よりも上側になるように、頂部４８の高さが設定されていることが好ましい。具体的には、規格のボールの大きさ（直径４３ｍｍ）に対し、頂部４８の高さｈは、２４〜２８ｍｍであることが好ましい。高さｈがボールの半径（２１．５ｍｍ）以下の場合、すなわち、頂部４８がボール３０の半径よりも下方に位置することとなると、頂部４８のボール３０に対する接触面及びボールの衝突による下面変形量が大きくなりすぎ、頂部４８の反撥力が過大となる。その結果、頂部４８がボール３０の転動方向Ｄ１直線と非直角になるように枠体１１とともに変位するので、ボール３０が頂部４８の反撥力でパッティング位置に正常に戻らないことになる。ちなみに、ボール３０が正常にパッティング位置にまで戻るようにするためには、枠体１１は、反撥部材１３の頂部４８がパッティングによるボール３０の転動方向Ｄ１直線と直角になるように設置されていることが好ましく、そのためには、正常に設置した枠体１１が、ボール３０の衝突で変位しないことが好ましい。
【００２２】
さらに、図４（ｂ）を参照して説明する。図４（ｂ）は、ボール３０が反撥部材１３の頂部４８に当たり、その衝撃を吸収して反撥部材１３の頂部４８が弾性変形した状態を示す図である。時計方向ｄ１へ転動するボール３０が反撥部材１３の頂部４８に当たることにより、反撥部材１３は、弾性変形し、その復元力によって、ボール３０に対してそれを反時計方向ｄ２への回転トルクに転換させて撥ね返そうとする力が作用する。その際、尖形の頂部４８の反撥力のみでボール３０を撥ね返すとすれば、期待する反撥力が充分に発揮されず、パッティング位置までボール３０が戻らなかったり、また、連続したパッティング練習により頂部４８のみに過度の力が作用して、弾性劣化したり、破損したりするおそれがある。しかし、この発明では、反撥部材１３の下側面１３Ｂが下方へ湾曲しており、ボール３０が頂部４８に当たるときに、下方へ押し下げられた頂部４８が、頂部４８のみならず下方へ凸状に湾曲する下側面１３Ｂ全体の反撥力を利用してボール３０を撥ね返すことができるので、頂部４８のみの反撥力を利用する場合に比べてより強い反撥力が生じ、また、頂部４８にのみ過度の力が作用することはないので、連続してパッティング練習をしたとしても、頂部４８が弾性劣化したり、破損したりするおそれはない。
【００２３】
前述のように、反撥部材１３の反撥力により、撥ね返されたボール３０は、練習具１０の側へ転動する時計方向ｄ１と逆の反時計方向ｄ２へ回転しながらパッティング位置へ戻されるが、その際、反撥部材１３には、斜め後方ｄ３へ、すなわち、練習具１０を浮き上らせようとする方向へ力が作用するので、ボール３０が比較的に速い速度で反撥部材１３に当たる場合には、練習具１０がいきおい後方へ浮き上がり、位置ずれを生じるおそれがある。そのような位置ずれを防止するために、この発明では、練習具１０の前部側に位置する保持部１５の内部にプラスチック材料に比べて比重の大きい鉄や鉛等の金属材料からなる加重部材１２が固定されている。すなわち、加重部材１２が保持部１５内に固定されていることによって、たとえボール３０が反撥部材１３に比較的に速い速度で当たるとしても、加重部材１２が重りとしての役割を果たし、練習具１０が後方へ浮き上がって位置ずれを生じるおそれはない。また、加重部材１２の自重によって、加重部材１２の底部２３の外面に貼着されたシート４１が床に密着するので、枠体１１に外部からの衝撃が与えられたとしても、妄りに練習具１０の位置がずれることはない。
【００２４】
このように、加重部材１２が重りとしての役割を果たすためには、具体的には、２〜３ｍ距離のパッティング練習において、加重部材１２の質量が１．０〜２．０ｋｇであることが好ましい。また、練習具１０において、反撥部材１３の位置する前部側の質量が後部側の質量よりも大きいことが好ましい。後側部が前側部よりも重い場合には、ボール３０が反撥部材１３に当たるときに、後側部の所定の部位が支点となって、前部側が上方へ浮き上がるおそれがあるからである。
【００２５】
図示の形態では、枠体１１と加重部材１２とが別体に形成され、前者に後者が固定されているが、（１）所望の質量を有するアルミニウム、鉄、銅等の金属材料から枠体１１及び加重部材１２にそれぞれ相当する部分が一体に形成されていてもよい。また、（２）図示の形態以外に、例えば、枠体１１は矩形ではなく、円形等の他の形状のものであってもよいし、加重部材１２は、断面がＬ形ではなくその他の形状であってもよい。要するに、この発明において不可欠な要件は、練習具１０の枠体１１の前部側の質量が後部側のそれよりも大きいことであり、この要件を充足する限り、練習具１０は、前記（１）及び（２）の形態を含むその他の形態であってもよい。
【００２６】
図４（ｃ）に示すように、ボール３０を反撥した後は、反撥部材１３は元の形に復元し、ボール３０は、パッティング位置（方向Ｄ２）へ向かって戻るので、連続したパッティング練習をすることができる。
【００２７】
前述のとおり、枠体１１の内部は中空であり、加重部材１２も比較的に軽量であるので、練習具１０を容易に持ち運ぶことができる。持ち運ぶときには、基部１４に設けられた凹溝部１８に親指と中指とを差し入れることにより、握持部１６を片手で安定的に握持することができる。また、練習具１０の使用時には、専用のマットや他の器具を必要としないので、室内等の比較的に狭い場所であっても、連続したパッティング練習をすることができる。
【図面の簡単な説明】
【００２８】
【図１】パター練習具の斜視図。
【図２】パター練習具の分解斜視図。
【図３】図１のＩＩＩ−ＩＩＩ線断面図。
【図４】（ａ）〜（ｃ）反撥部材がボールを撥ね返す過程を示すパター練習具の断面図。
【符号の説明】
【００２９】
１０    パター練習具
１１    枠体
１１ａ  前端（面）
１２    加重部材
１３    反撥部材
２３    底部
２９    床面
３０    ボール
４１    滑り止めシート
４８    頂部
Ｘ１，Ｘ２  前後方向
ｈ      頂部の高さ
【図１】
0005190927.tif 000002
【図２】
0005190927.tif 000003
【図３】
0005190927.tif 000004
【図４】
0005190927.tif 000005